(57)【要約】 【課題】この考案はサイドライトタイプのバックライドモジュール用導光板に関するものである。【解決手段】導光板の反射面に，複数の光導体が形成される．それら光導体のワン サイドに，補助の光導体も形成される．補助光導体は光導体に沿って成型するように設置される．そうすると，光導体の導きでも，導光板の中に入らなかったという光源のリーク  ライト（leak light）はマッチした補助の光導体を経由して受光される．つまり，リーク  ライドは再び導光板の内部へ導く．結局，リーク ライトが反射薄片に投射するチャンスを減らし，光が反射薄片に投射しているうちに，招いた光のエネルギー損耗を低降する．【選択図】図３
0003141248.tif 000002
【実用新案登録請求の範囲】
【請求項１】
サイドライトタイプのバックライドモジュール用導光板において，導光板は出光面，出光面の対応位置における反射面，出光面及び反射面と接続する少なくとも一つの入射面などがある．そんな反射面には，入射面の平行方向に沿って光導体が形成される．光導体のワンサイドに，反射面の外へ突出してある補助の光導体も形成される．補助の光導体は第一受光斜面，第二受光斜面を具有し，光導体に沿って，マッチするように成型，設置されるということを特徴とするサイドライトタイプのバックライドモジュール用導光板。
【請求項２】
請求項１記載のサイドライトタイプのバックライドモジュール用導光板において，補助の光導体が反射面から突出してある長さはマッチした光導体が反射面から突出してある長さより小さくないことを特徴とするサイドライト  タイプのバックライドモジュール用導光板。
【請求項３】
請求項１記載のサイドライトタイプのバックライドモジュール用導光板において，補助光導体の第二受光斜面は凹曲面としたことを特徴とするサイドライトタイプのバックライドモジュール用の導光板。
【請求項４】
請求項１記載のサイドライトタイプのバックライドモジュール用導光板において，補助の光導体が反射面から突出してある長さはマッチした光導体が反射面から突出してある長さより，小さくない．また，補助光導体の第二受光斜面は凹曲面としたことを特徴とするサイドライトタイプのバックライドモジュール用導光板。
【請求項５】
請求項１又は請求項３記載のサイドライトタイプのバックライドモジュール用導光板において，補助の光導体にマッチした光導体は反射面に凹んである凹入状光導体であることを特徴とするサイドライトタイプのバックライドモジュール用導光板。
【請求項６】
請求項１乃至請求項５記載のサイドライトタイプのバックライドモジュール用導光板において，導光板は平板形体を採用したことを特徴とするサイドライトタイプのバックライドモジュール用導光板。
【請求項７】
請求項１乃至請求項５記載のサイドライトタイプのバックライドモジュール用導光板において，導光板は楔形板体を採用したことを特徴とするサイドライトタイプのバックライドモジュール用導光板。
【考案の詳細な説明】
【技術分野】
【０００１】
本考案はサイドライトタイプのバックライドモジュール用導光板に関するものである．
【背景技術】
【０００２】
バックライトモジュールは面状の光源を産出するために，主に，導光板を依頼する．
導光板は自身，光の優れた透過性を持つ．一般的に，ほぼ光学級のアクリル(acrylic)(PMMA)の材質で作られ，一つの出光面，一つの反射面，少なくとも一つの入射面がある．早期から，反射面の表面に，導光点(Pattern)の設計は形成され，光源の光反射で，光を導くが，近年以来，光を導くほかの設計も発展されてある．
【０００３】
導光板１は出光面１１，出光面１１に向き合う反射面１２，出光面11及び反射面１２に接続する少なくとも一つの側面から形成される入射面１３などを具有する．反射面１２には，複数V形断面の光導体１２１が形成される．図1に示すように，光導体１２１は反射面１２の外へ突出してある．又は図2に示すように，光導体１２１は反射面１２の中へ凹んである．ランプ２の光は入射面１３から，導光板１の内部に入ったあとで，部分の光が反射面１２を透過射出しているうちに，それら光導体１２により，光の行進の方向を変更する．つまり，光を再び導光板1の中に導いて戻させる．．それで，光が反射薄片３に投射しているチャンスを減らし，光が反射薄片３の反射で，招いた光のエネルギー損耗を低降する．
【考案の開示】
【考案が解決しようとする課題】
【０００４】
でも，前掲の図1，図2に示すように，導光板１の反射面１２に，光導体１２１が形成されるという設計は伝統の導光板の反射面に形成した導光図様(Pattern)に比べると，製作プロセス，光の反射，導き効果が良いが，やはり理想ほど至らない．その主な原因は次のとおりである．図3，図4に示すように，光源の光が光導体１２１に投射しているうちに，ただ，部分の光だけが光導体１２１を経由して，屈折，反射される．実際的に，光源が光導体１２１に投射しているプロセスにおいて，その光が光導体１２１の第一斜面１２１１から，第二斜面まで屈折されるときに，部分の光が第二斜面１２１２から，導光板１まで反射して戻るが，ほかの部分の光も，第二斜面１２１２を透過して，反射薄片３まで照射する．反射薄片３がそれら光を反射しないと，もう一度導光板へ入射することができない．その結果，光が反射薄片に照射して反射されるときに，いつもエネルギーを損耗する．そんな現象は最初に，相関的な設計が不十分のせいで招かれた問題である．
【課題を解決するための手段】
【０００５】
したがって，本考案の主な目的はサイドライトタイプのバックライドモジュール用の導光板を提供することにある．そんな導光板は光の優れた透過性を持つ材質，例えば，光学級のアクリル(acrylic)(PMMA)で作られる．
【０００６】
主に，光源の光が導光板の中で伝送しているうちに，導光板の反射面を経て，透過，射出された光が反射薄片に照射するチャンスを減らす．すなわち，光源の光が反射薄片の頻繁的な反射動作から招いたエネルギー損耗を低降させることにより，導光板の発光輝度を向上させる．
【０００７】
導光板は出光面，出光面の対応位置における反射面，出光面及び反射面と接続する少なくとも一つの入射面などがある．そんな反射面には，入射面と平行する複数の光導体が形成される．光導体のワンサイドに，補助の光導体も形成される．補助の光導体は光導体に沿って，マッチするように成型される．
【０００８】
そうすると，光源の光が導光板の反射面を透過，射出しているうちに，反射面の光導体の作用で，光を導光板へ導いて戻させる．部分の光が光導体の導きでも，スムースに導光板に戻さなかったが，マッチした補助の光導体により受光される．補助の光導体の導きで，光をもう一度導光板まで案内して戻す．結局，光導体の外に漏る光が反射薄片に照射しないようにさせる．光源の光が反射薄片の頻繁的な反射動作から招いたエネルギー損耗の恐れが生じない．
【０００９】
本考案により，補助の光導体の第二受光斜面が凹曲面を採用してもよい．それで，光源の光が反射して，導光板の内部まで導いて戻すときに，集光の効果がある．光源の光を集中させ，発光輝度を向上させる．
【００１０】
また，本考案により，反射面に形成される光導体が反射面の外表面から突出してある場合に，マッチした補助の光導体が反射面から突出してある長さは光導体が反射面から突出してある長さより小さくないようにさせる．光導体から漏る光の受光効果がベストとなるので，光源の光は補助の光導体に確実に導かれる．
【考案の効果】
【００１１】
本考案の目的，特徴および効果などをご了解
なさるために，以下，さらに具体的な実施例に図面をあわせて詳しく説明してみよう。
以上の内容をまとめると，本考案は導光板の反射面に，複数の補助の光導体を形成する．また，補助の光導体は反射面における光導体のワン  サイドに沿って形成される．そうすると，光源の光が光導体の導きで，スムーズに導光板に戻らなくても，補助の光導体を経由し，光導体の外に漏る光をもう一度，導光板の内部まで戻るように導く．そいう訳だから，光導体の外に漏る光が反射薄片に照射しないようにさせる．光源の光が反射薄片の頻繁的な反射動作から招いたエネルギー損耗を減らして，導光板の発光輝度を向上させる．
【実施例】
【００１２】
まずは図５を御覧下さい．本考案はサイドライトタイプのバックライドモジュール用導光板に関するものである。そんな導光板４は光の優れた透過性を持つ材質で作られ，出光面４１，出光面４１の対応位置における反射面４２，出光面４１及び反射面４２と接続する少なくとも一つの入射面４３などがある．そんな反射面４２には，反射面４２から突出してある複数の光導体421が形成される．それら光導体４２１は入射面４１の平行方向に沿って形成される．光導体４２１のワンサイド(入射面４３から遠く離れる片側)に，補助の光導体４２２も形成される．補助の光導体４２２は第一受光斜面４２２１，第二受光斜面４２２２を具有し，光導体４２１に沿って，マッチするように形成される．
【００１３】
図6を御覧下さい．入射面４３がランプ５の光を受けて，光源の光を導光板４の内部へ伝送しているうちに，反射面４２を透過，射出して，光導体４２１に入る光は部分的に，光導体４２１により，屈折，反射されたあとで，出光面４１の方向に沿って行進してある．光導体４２１から，導光板４の内部までスムースに反射できないほかの部分光は光導体４２１の外へ透過，射出している．そして，光導体４２１を透過，射出した光は光導体４２１のワン  サイドにおける補助の光導体４２２に受光される．しかも，補助の光導体４２２の第一受光斜面に屈折される．屈折された光は第二受光斜面４２２２まで導かれる．その次，第二受光斜面４２２２は光をもう一度，導光板４へ反射させる．つまり，光を導光板４の出光面41の方向へ行進するように案内させる．
【００１４】
本考案により，反射面４２の光導体４２１のワンサイドに，補助の光導体４２２が形成されるので，光導体４２１から漏る光がすぐに，補助の光導体４２２の導きで，導光板４に戻る．結局，光導体４２１の外に漏る光が反射薄片６に照射しないようにさせる．光源の光が反射薄片６の頻繁的な反射動作から招いたエネルギー損耗を減らして，導光板４の発光輝度を向上させる．
【００１５】
図7を御覧下さい．本考案の実施において，補助の光導体４２３が導光板４の反射面４２の外へ突出してある長さはマッチした光導体４２１の長さより小さくないように設計すれば最高だと分かる．それで，光導体４２１から漏る光を有効的に受光することができ，補助の光導体４２２は光を確実に導く．
【００１６】
図8を御覧下さい．本考案により，補助の光導体４２３の第二受光斜面４２２２が凹曲面４２２３の形状を採用してもよい．それで，光源の光が第一受光斜面４２２１に屈折されて，ここで反射されるときに，凹曲面４２２３が集光の反射効果が兼備するので，光が導光板４へ反射されて戻るときに，集中の効果は発揮され，発光輝度の表現を向上させる．
【００１７】
本考案により，補助の光導体４２２の形成で，光源の光の案内効果がある．導光板４の反射面４２における光導体４２１は反射面４２に凹むように，凹入状の光導体４２１‘という設計を採用してもよい．さらに，凹入状の光導体４２１’のワン  サイドに，補助の光導体４２２を形成する．図9を御覧下さい．その補助の光導体は凹入状の光導体４２１‘のワン  サイドに沿って成型される．そうすると，凹入状の光導体４２１’の案内により，導光板４へスムーズに戻らない部分の光はマッチした補助の光導体４２２の作用に受けられる．凹入状の光導体４２１’の外に漏る光をもう一度導光板4の中へ導いて戻させる．つまり，光が反射薄片６に投射するチャンスを減らし，光が反射薄片６の反射動作で招いた光のエネルギー損耗を低降する．
【００１８】
図10を御覧下さい．導光板４は凹入状の光導体４２１‘を採用する場合に，勿論，補助の光導体４２２も凹曲面４２２３を用いて応用できる．それで，光が凹曲面４２２３を経て，集光，反射の効果を兼備する反射動作がある．光源の光を集中，案内する効果を遂げる．
また，本考案により，導光板４の形体は平板の形体に限られない．楔形板体を選択，使用しても，本考案の応用に，悪い影響を及ばない．図11−14に示すように，光源の光の導き作用及びその効果も前掲のとおりと同じである．
【図面の簡単な説明】
【００１９】
【図１】従来から，既知バックライトモジュールの導光板の説明図である．
【図２】従来から，既知バックライトモジュールのもう一つの導光板の説明図である．
【図３】図1において，光源の光の作動説明図である．
【図４】図２において，光源の光の作動説明図である．
【図５】本考案の断面説明図である．
【図６】図５において，光源の光の作動説明図である．
【図７】本考案により，補助の光導体の実施例説明図である．
【図８】本考案により，補助の光導体のもう一つの実施例説明図である．
【図９】本考案により，凹入状の光導体を採用する断面説明図である．
【図１０】本考案により，もう一つの凹入状の光導体を採用する断面説明図である．
【図１１】本考案により，楔形板状の導光板に応用する各断面説明図である．
【図１２】本考案により，楔形板状の導光板に応用する各断面説明図である．
【図１３】本考案により，楔形板状の導光板に応用する各断面説明図である．
【図１４】本考案により，楔形板状の導光板に応用する各断面説明図である．
【符号の説明】
【００２０】
１        導光板        
１１      出光面
１２      反射面        
１３      入射面
１２１    光導体        
２        ランプ
３        反射薄片      
１２１１  第一斜面
１２１２  第二斜面
４        導光板        
４１      出光面
４２      反射面        
４３      入射面        
４２１    光導体
４２１‘  光導体        
４２２    補助の光導体
４２３    補助の光導体
４２２１  第一受光斜面   
４２２２  第二受光斜面
４２２３  凹曲面        
６        反射薄片
【図１】
0003141248.tif 000003
【図２】
0003141248.tif 000004
【図３】
0003141248.tif 000005
【図４】
0003141248.tif 000006
【図５】
0003141248.tif 000007
【図６】
0003141248.tif 000008
【図７】
0003141248.tif 000009
【図８】
0003141248.tif 000010
【図９】
0003141248.tif 000011
【図１０】
0003141248.tif 000012
【図１１】
0003141248.tif 000013
【図１２】
0003141248.tif 000014
【図１３】
0003141248.tif 000015
【図１４】
0003141248.tif 000016
【手続補正書】
【提出日】平成20年2月26日(2008.2.26)
【手続補正１】
【補正対象書類名】実用新案登録請求の範囲
【補正対象項目名】全文
【補正方法】変更
【補正の内容】
【実用新案登録請求の範囲】
【請求項１】
サイドライトタイプのバックライトモジュール用の導光板において、導光板は出光面、出光面の対応位置における反射面、出光面及び反射面と接続する少なくとも一つの入射面などがあり、そんな反射面には、入射面の平行方向に沿って光導体が形成され、光導体のワンサイドに、反射面の外へ突出してある補助の光導体も形成され、補助の光導体は第一受光斜面、第二受光斜面を具有し、光導体に沿って、マッチするように成型、設置されることを特徴とするサイドライトタイプのバックライトモジュール用の導光板。
【請求項２】
前記補助の光導体が反射面から突出してある長さはマッチした光導体が反射面から突出してある長さより、小さくないことを特徴とする請求項１に記載のサイドライトタイプのバックライトモジュール用の導光板。
【請求項３】
前記補助光導体の第二受光斜面は凹曲面を採用してもよいことを特徴とする請求項１に記載のサイドライトタイプのバックライドモジュール用の導光板。
【請求項４】
前記補助の光導体が反射面から突出してある長さはマッチした光導体が反射面から突出してある長さより、小さくなく、また、補助光導体の第二受光斜面は凹曲面を採用することを特徴とする請求項１に記載のサイドライトタイプのバックライドモジュール用の導光板。
【請求項５】
前記補助の光導体にマッチした光導体は反射面に凹んである凹入状光導体であることを特徴とする請求項１、或いは、３に記載のサイド  ライトタイプのバックライトモジュール用の導光板。。
【請求項６】
前記導光板は平板形体を採用してもよいことを特徴とする請求項１〜５に記載のサイドライトタイプのバックライトモジュール用の導光板。
【請求項７】
前記導光板は楔形板体を採用してもよいことを特徴とする請求項１〜５に記載のサイドライトタイプのバックライトモジュール用の導光板。
【手続補正２】
【補正対象書類名】明細書
【補正対象項目名】全文
【補正方法】変更
【補正の内容】
【考案の詳細な説明】
【技術分野】
【０００１】
本考案はサイドライトタイプのバックライドモジュール用導光板に関するものである。
【背景技術】
【０００２】
バックライトモジュールは面状の光源を産出するために、主に、導光板を依頼する。導光板は自身、光の優れた透過性を持つ。一般的に、ほぼ光学級のアクリル(acrylic)(PMMA)の材質で作られ、一つの出光面、一つの反射面、少なくとも一つの入射面がある。早期から、反射面の表面に、導光点(Pattern)の設計は形成され、光源の光反射で、光を導くが、近年以来、光を導くほかの設計も発展されてある。
【０００３】
導光板１は出光面１１、出光面１１に向き合う反射面１２、出光面11及び反射面１２に接続する少なくとも一つの側面から形成される入射面１３などを具有する。反射面１２には、複数V形断面の光導体１２１が形成される。図1に示すように、光導体１２１は反射面１２の外へ突出してある。又は図2に示すように、光導体１２１は反射面１２の中へ凹んである。ランプ２の光は入射面１３から、導光板１の内部に入ったあとで、部分の光が反射面１２を透過射出しているうちに、それら光導体１２により、光の行進の方向を変更する。つまり、光を再び導光板1の中に導いて戻させる。それで、光が反射薄片３に投射しているチャンスを減らし、光が反射薄片３の反射で、招いた光のエネルギー損耗を低降する。
【考案の開示】
【考案が解決しようとする課題】
【０００４】
でも、前掲の図1、図2に示すように、導光板１の反射面１２に、光導体１２１が形成されるという設計は伝統の導光板の反射面に形成した導光図様(Pattern)に比べると、製作プロセス、光の反射、導き効果が良いが、やはり理想ほど至らない。その主な原因は次のとおりである。図3、図4に示すように、光源の光が光導体１２１に投射しているうちに、ただ、部分の光だけが光導体１２１を経由して、屈折、反射される。実際的に、光源が光導体１２１に投射しているプロセスにおいて、その光が光導体１２１の第一斜面１２１１から、第二斜面まで屈折されるときに、部分の光が第二斜面１２１２から、導光板１まで反射して戻るが、ほかの部分の光も、第二斜面１２１２を透過して、反射薄片３まで照射する。反射薄片３がそれら光を反射しないと、もう一度導光板へ入射することができない。その結果、光が反射薄片に照射して反射されるときに、いつもエネルギーを損耗する。そんな現象は最初に、相関的な設計が不十分のせいで招かれた問題である。
【課題を解決するための手段】
【０００５】
したがって、本考案の主な目的はサイドライトタイプのバックライドモジュール用の導光板を提供することにある。そんな導光板は光の優れた透過性を持つ材質、例えば、光学級のアクリル(acrylic)(PMMA)で作られる。
【０００６】
主に、光源の光が導光板の中で伝送しているうちに、導光板の反射面を経て、透過、射出された光が反射薄片に照射するチャンスを減らす。すなわち、光源の光が反射薄片の頻繁的な反射動作から招いたエネルギー損耗を低降させることにより、導光板の発光輝度を向上させる。
【０００７】
導光板は出光面、出光面の対応位置における反射面、出光面及び反射面と接続する少なくとも一つの入射面などがある。そんな反射面には、入射面と平行する複数の光導体が形成される。光導体のワンサイドに、補助の光導体も形成される。補助の光導体は光導体に沿って、マッチするように成型される。
【０００８】
そうすると、光源の光が導光板の反射面を透過、射出しているうちに、反射面の光導体の作用で、光を導光板へ導いて戻させる。部分の光が光導体の導きでも、スムースに導光板に戻さなかったが、マッチした補助の光導体により受光される。補助の光導体の導きで、光をもう一度導光板まで案内して戻す。結局、光導体の外に漏る光が反射薄片に照射しないようにさせる。光源の光が反射薄片の頻繁的な反射動作から招いたエネルギー損耗の恐れが生じない。
【０００９】
本考案により、補助の光導体の第二受光斜面が凹曲面を採用してもよい。それで、光源の光が反射して、導光板の内部まで導いて戻すときに、集光の効果がある。光源の光を集中させ、発光輝度を向上させる。
【００１０】
また、本考案により、反射面に形成される光導体が反射面の外表面から突出してある場合に、マッチした補助の光導体が反射面から突出してある長さは光導体が反射面から突出してある長さより小さくないようにさせる。光導体から漏る光の受光効果がベストとなるので、光源の光は補助の光導体に確実に導かれる。
【考案の効果】
【００１１】
本考案の目的、特徴および効果などをご了解なさるために、以下、さらに具体的な実施例に図面をあわせて詳しく説明してみよう。以上の内容をまとめると、本考案は導光板の反射面に、複数の補助の光導体を形成する。
また、補助の光導体は反射面における光導体のワン  サイドに沿って形成される。そうすると、光源の光が光導体の導きで、スムーズに導光板に戻らなくても、補助の光導体を経由し、光導体の外に漏る光をもう一度、導光板の内部まで戻るように導く。そいう訳だから、光導体の外に漏る光が反射薄片に照射しないようにさせる。光源の光が反射薄片の頻繁的な反射動作から招いたエネルギー損耗を減らして、導光板の発光輝度を向上させる。
【実施例】
【００１２】
まずは図５を御覧下さい。本考案はサイドライトタイプのバックライドモジュール用導光板に関するものである。そんな導光板４は光の優れた透過性を持つ材質で作られ、出光面４１、出光面４１の対応位置における反射面４２、出光面４１及び反射面４２と接続する少なくとも一つの入射面４３などがある。そんな反射面４２には、反射面４２から突出してある複数の光導体421が形成される。それら光導体４２１は入射面４１の平行方向に沿って形成される。光導体４２１のワンサイド(入射面４３から遠く離れる片側)に、補助の光導体４２２も形成される。補助の光導体４２２は第一受光斜面４２２１、第二受光斜面４２２２を具有し、光導体４２１に沿って、マッチするように形成される。
【００１３】
図6を御覧下さい。入射面４３がランプ５の光を受けて、光源の光を導光板４の内部へ伝送しているうちに、反射面４２を透過、射出して、光導体４２１に入る光は部分的に、光導体４２１により、屈折、反射されたあとで、出光面４１の方向に沿って行進してある。光導体４２１から、導光板４の内部までスムースに反射できないほかの部分光は光導体４２１の外へ透過、射出している。そして、光導体４２１を透過、射出した光は光導体４２１のワン  サイドにおける補助の光導体４２２に受光される。しかも、補助の光導体４２２の第一受光斜面に屈折される。屈折された光は第二受光斜面４２２２まで導かれる。その次、第二受光斜面４２２２は光をもう一度、導光板４へ反射させる。つまり、光を導光板４の出光面41の方向へ行進するように案内させる。
【００１４】
本考案により、反射面４２の光導体４２１のワンサイドに、補助の光導体４２２が形成されるので、光導体４２１から漏る光がすぐに、補助の光導体４２２の導きで、導光板４に戻る。結局、光導体４２１の外に漏る光が反射薄片６に照射しないようにさせる。光源の光が反射薄片６の頻繁的な反射動作から招いたエネルギー損耗を減らして、導光板４の発光輝度を向上させる。
【００１５】
図7を御覧下さい。本考案の実施において、補助の光導体４２３が導光板４の反射面４２の外へ突出してある長さはマッチした光導体４２１の長さより小さくないように設計すれば最高だと分かる。それで、光導体４２１から漏る光を有効的に受光することができ、補助の光導体４２２は光を確実に導く。
【００１６】
図8を御覧下さい。本考案により、補助の光導体４２３の第二受光斜面４２２２が凹曲面４２２３の形状を採用してもよい。それで、光源の光が第一受光斜面４２２１に屈折されて、ここで反射されるときに、凹曲面４２２３が集光の反射効果が兼備するので、光が導光板４へ反射されて戻るときに、集中の効果は発揮され、発光輝度の表現を向上させる。
【００１７】
本考案により、補助の光導体４２２の形成で、光源の光の案内効果がある。導光板４の反射面４２における光導体４２１は反射面４２に凹むように、凹入状の光導体４２１‘という設計を採用してもよい。さらに、凹入状の光導体４２１’のワン  サイドに、補助の光導体４２２を形成する。図9を御覧下さい。その補助の光導体は凹入状の光導体４２１‘のワン  サイドに沿って成型される。そうすると、凹入状の光導体４２１’の案内により、導光板４へスムーズに戻らない部分の光はマッチした補助の光導体４２２の作用に受けられる。凹入状の光導体４２１’の外に漏る光をもう一度導光板4の中へ導いて戻させる。つまり、光が反射薄片６に投射するチャンスを減らし、光が反射薄片６の反射動作で招いた光のエネルギー損耗を低降する。
【００１８】
図10を御覧下さい。導光板４は凹入状の光導体４２１‘を採用する場合に、勿論、補助の光導体４２２も凹曲面４２２３を用いて応用できる。それで、光が凹曲面４２２３を経て、集光、反射の効果を兼備する反射動作がある。光源の光を集中、案内する効果を遂げる。
また、本考案により、導光板４の形体は平板の形体に限られない。楔形板体を選択、使用しても、本考案の応用に、悪い影響を及ばない。図11−14に示すように、光源の光の導き作用及びその効果も前掲のとおりと同じである。
【図面の簡単な説明】
【００１９】
【図１】従来から、既知バックライトモジュールの導光板の説明図である。
【図２】従来から、既知バックライトモジュールのもう一つの導光板の説明図である。
【図３】図1において、光源の光の作動説明図である。
【図４】図２において、光源の光の作動説明図である。
【図５】本考案の断面説明図である。
【図６】図５において、光源の光の作動説明図である。
【図７】本考案により、補助の光導体の実施例説明図である。
【図８】本考案により、補助の光導体のもう一つの実施例説明図である。
【図９】本考案により、凹入状の光導体を採用する断面説明図である。
【図１０】本考案により、もう一つの凹入状の光導体を採用する断面説明図である。
【図１１】本考案により、楔形板状の導光板に応用する各断面説明図である。
【図１２】本考案により、楔形板状の導光板に応用する各断面説明図である。
【図１３】本考案により、楔形板状の導光板に応用する各断面説明図である。
【図１４】本考案により、楔形板状の導光板に応用する各断面説明図である。
【符号の説明】
【００２０】
１        導光板        
１１      出光面
１２      反射面        
１３      入射面
１２１    光導体        
２        ランプ
３        反射薄片      
１２１１  第一斜面
１２１２  第二斜面
４        導光板        
４１      出光面
４２      反射面        
４３      入射面        
４２１’    光導体
４２１‘    光導体        
４２２    補助の光導体
４２３    補助の光導体
４２２１  第一受光斜面   
４２２２  第二受光斜面
４２２３  凹曲面        
６        反射薄片